(57)【特許請求の範囲】
【請求項１】
電力の供給に基づいて発光する一つ以上の照明装置を備えた照明器具と、
自身の装置の稼働中に前記照明器具の周囲温度が所定の第１の温度を超えた場合に、前記照明器具の周囲温度に基づいて、前記照明装置に供給する駆動電流を低減するように制御するとともに前記照明器具の周囲の風量、温度を含む空気環境を前記照明器具の周囲温度が低下するように制御する制御装置と、
指示信号に基づいて前記駆動電流を前記照明装置に供給する電源と、
を備え、
前記制御装置は、前記照明器具の周囲温度が前記所定の第１の温度を超えた際に、前記照明装置に供給する前記駆動電流を前記周囲温度の上昇に比例させて低減するように前記指示信号を前記電源に出力する、
ことを特徴とする照明器具の制御システム。
【請求項２】
前記照明器具の周囲温度を測定する温度センサと、
制御信号に基づいて前記照明器具の設置場所の前記空気環境を調整する空調装置と、を更に備え、
前記照明装置は、駆動電流の供給に基づいて発光し発光に伴って発熱する発光ダイオードを含み、
前記制御装置は、前記温度センサにより測定された前記周囲温度に基づいて前記照明装置の前記駆動電流を決定し、この駆動電流に基づいた前記指示信号を前記電源に出力し、測定された前記周囲温度に基づいて前記制御信号を前記空調装置に出力する、
ことを特徴とする請求項１記載の照明器具の制御システム。
【請求項３】
前記制御装置は、前記照明器具の周囲温度が前記所定の第１の温度を超えた際に、前記空調装置を、風量、温度を含む所定の設定にて稼働するための前記制御信号を前記空調装置に出力する、
ことを特徴とする請求項２記載の照明器具の制御システム。
【請求項４】
前記制御装置は、自身の装置の稼働開始時の前記照明器具の前記周囲温度が前記所定の第１の温度より低い所定の第２の温度以上、かつ、前記所定の第１の温度以下の場合、所定の第１の駆動電流を流す前記指示信号を前記電源に出力する、
ことを特徴とする請求項３記載の照明器具の制御システム。
【請求項５】
前記制御装置は、自身の装置の稼働開始時の前記照明器具の前記周囲温度が前記所定の第２の温度未満、又は、前記所定の第１の温度を超える場合、前記所定の第１の駆動電流よりも低い所定の第２の駆動電流を流す前記指示信号を前記電源に出力する、
ことを特徴とする請求項４記載の照明器具の制御システム。
【請求項６】
電力の供給に基づいて発光する一つ以上の照明装置を備えた照明器具と、
自身の装置の稼働中に前記照明器具の周囲温度が所定の第１の温度を超えた場合に、この所定の第１の温度を超えた前記照明器具の周囲温度に基づいて、該照明装置に供給する駆動電流を低減するように制御するとともに前記照明器具の周囲の風量、温度を含む空気環境を前記照明器具の周囲温度が低下するように制御するとともに
周囲温度が所定の第１の温度を超えた前記照明器具の近辺の、第１の温度を超えていない照明器具の照明装置に対してより明るくなるように制御する制御装置と、
を備えたことを特徴とする照明器具の制御システム。
【請求項７】
駆動電流の供給に基づいて発光する一つ以上の照明装置を備えた照明器具を有し、この照明器具の周囲温度を測定し、駆動電流の大きさを示す指示信号を受け、この指示信号に基づいた駆動電流を前記照明器具の備えた前記照明装置に供給する複数の照明器具セットと、
対応する前記照明器具セットの測定した前記照明器具の周囲温度を示す情報を送信し、この送信に応答して駆動電流の大きさを示す電流指示コマンドを受け、この電流指示コマンドに応じた指示信号を対応する前記照明器具セットに出力する複数の制御装置と、
制御信号に基づいて前記複数の照明器具セットの備えた前記照明器具の設置場所の風量、温度を含む空気環境を調整する空調装置と、
前記複数の制御装置から前記照明器具の周囲温度を示す情報をそれぞれ受信し、所定の第１の温度を超えた周囲温度を示す情報を受信した場合に、この第１の温度を超えた前記照明器具セットの前記照明器具の備えた前記照明装置に供給する前記駆動電流を低減するように決定し、この決定した駆動電流の大きさを示す電流指示コマンドを対応する前記制御装置に送信する、とともに前記空調装置に制御信号を出力して前記空調装置を前記照明器具の周囲温度が低下するように制御する上位装置と、
を備えたことを特徴とする照明器具の制御システム。
【請求項８】
電力の供給に基づいて発光する一つ以上の照明装置を備えた照明器具の周囲温度を調べ、
この周囲温度が所定の第１の温度を超えた場合に、前記照明器具の周囲温度に基づいて、前記照明装置に供給する駆動電流を低減するように制御し、
前記照明器具の周囲の風量、温度を含む空気環境を前記照明器具の周囲温度が低下するように制御するとともに
周囲温度が所定の第１の温度を超えた前記照明器具の近辺の、第１の温度を超えていない照明器具の照明装置に対してより明るくなるように制御する、
ことを特徴とする照明器具の制御方法。
【請求項９】
電力の供給に基づいて発光する一つ以上の照明装置を備えた複数の照明器具の周囲温度を調べ、
この周囲温度が所定の第１の温度を超えた場合に、この所定の第１の温度を超えた前記照明器具の周囲温度に基づいて、該照明装置に供給する駆動電流を低減するように制御し、
前記照明器具の周囲温度に基づいて、前記照明器具の周囲の風量、温度を含む空気環境を前記照明器具の周囲温度が低下するように制御するとともに
周囲温度が所定の第１の温度を超えた前記照明器具の近辺の、第１の温度を超えていない照明器具の照明装置に対してより明るくなるように制御する、
ことを特徴とする照明器具の制御方法。
【発明の詳細な説明】
【技術分野】
【０００１】
本発明は、照明器具の制御システム及び照明器具の制御方法に関し、照明器具の周囲の温度を制御する照明器具の制御システム及び照明器具の制御方法に関する。
【背景技術】
【０００２】
工場灯等として使用される天井照明器具等の照明器具の周囲では、照明器具自身の点灯による発熱に加え工場の排熱等のため熱が籠もりやすい。このため、照明器具の周囲温度は高温になり易い。特に夏場は照明器具の耐熱温度を超えるような周囲温度になり易い。一方、照明器具は、昨今の省エネの推進、ＬＥＤ（Ｌｉｇｈｔ  Ｅｍｉｔｔｉｎｇ  Ｄｉｏｄｅ：発光ダイオード）の大光束化等により、使用する照明装置を放電灯等からＬＥＤに変えつつある。このＬＥＤは、従来まで使用されていた放電灯等と比べ、その発光部自体は熱に弱い。このため、ＬＥＤを照明装置として使用する照明器具は、これを工場灯等として使用するような場合には、ＬＥＤそのものが自身の発光時の発熱と工場の排熱等のため高温となり、寿命が短くなるおそれがある。【０００３】
照明器具の周囲温度を制御してＬＥＤの短寿命化を回避する技術が特許文献１に開示されている。特許文献１に開示のＬＥＤベースの照明器具は、ＬＥＤと、電源と、温度センサと、コントローラとを有する。電源は、電力をＬＥＤに供給する。ＬＥＤは、電源から電力を供給され発光する。温度センサは、ＬＥＤを有する照明器具の所定の位置で温度を測定する。コントローラは、測定された温度に基づいて、ＬＥＤのジャンクションの温度を閾値より低い状態に維持するように、ＬＥＤの駆動電流を決定し、この駆動電流をＬＥＤに供給するための入力信号を電源に供給する。電源は、入力信号に基づいて駆動電流をＬＥＤに供給する。このように、ＬＥＤのジャンクションの温度を閾値より低い状態で維持するように制御することにより、ＬＥＤが高温にならないようにしてＬＥＤの短寿命化を回避している。
【先行技術文献】
【特許文献】
【０００４】
【特許文献１】特表２０１３−５０３４７０号公報
【発明の概要】
【発明が解決しようとする課題】
【０００５】
上述の特許文献１に開示のＬＥＤベースの照明器具は、ＬＥＤの周囲温度に基づいて、ＬＥＤそのものの発熱を制御するのみである。すなわち、ＬＥＤの周囲を取り巻く空気の温度の制御は行っていない。【０００６】
このため、この照明器具を、工場灯等として使用する場合等の、熱が籠もりやすい環境で使用する場合には、ＬＥＤ等の照明装置の温度をより効果的に下げることができず、照明装置の寿命が短くなるおそれがあるという問題がある。【０００７】
本発明の目的は、上記課題を解決して、照明器具を工場等の熱が籠もりやすい環境で使用する場合にも、照明器具で使用する照明装置の短寿命化を抑制可能な照明器具の制御システム及び照明器具の制御方法を提供することである。
【課題を解決するための手段】
【０００８】
本発明の第１の照明器具の制御システムは、電力の供給に基づいて発光する一つ以上の照明装置を備えた照明器具と、自身の装置の稼働中に前記照明器具の周囲温度が所定の第１の温度を超えた場合に、前記照明器具の周囲温度に基づいて、前記照明装置に供給する駆動電流を低減するように制御するとともに前記照明器具の周囲の風量、温度を含む空気環境を前記照明器具の周囲温度が低下するように制御する制御装置と、を備えている。【０００９】
本発明の第２の照明器具の制御システムは、電力の供給に基づいて発光する一つ以上の照明装置を備えた照明器具と、自身の装置の稼働中に前記照明器具の周囲温度が所定の第１の温度を超えた場合に、この所定の第１の温度を超えた前記照明器具の周囲温度に基づいて、該照明装置に供給する駆動電流を低減するように制御するとともに前記照明器具の周囲の風量、温度を含む空気環境を前記照明器具の周囲温度が低下するように制御する制御装置と、を備えている。【００１０】
本発明の第３の照明器具の制御システムは、駆動電流の供給に基づいて発光する一つ以上の照明装置を備えた照明器具を有し、この照明器具の周囲温度を測定し、駆動電流の大きさを示す指示信号を受け、この指示信号に基づいた駆動電流を前記照明器具の備えた前記照明装置に供給する複数の照明器具セットと、対応する前記照明器具セットの測定した前記照明器具の周囲温度を示す情報を送信し、この送信に応答して駆動電流の大きさを示す電流指示コマンドを受け、この電流指示コマンドに応じた指示信号を対応する前記照明器具セットに出力する複数の制御装置と、制御信号に基づいて前記複数の照明器具セットの備えた前記照明器具の設置場所の風量、温度を含む空気環境を調整する空調装置と、前記複数の制御装置から前記照明器具の周囲温度を示す情報をそれぞれ受信し、所定の第１の温度を超えた周囲温度を示す情報を受信した場合に、この第１の温度を超えた前記照明器具セットの前記照明器具の備えた前記照明装置に供給する前記駆動電流を低減するように決定し、この決定した駆動電流の大きさを示す電流指示コマンドを対応する前記制御装置に送信する、とともに前記空調装置に制御信号を出力して前記空調装置を前記照明器具の周囲温度が低下するように制御する上位装置と、を備えている。【００１１】
本発明の第１の照明器具の制御方法は、電力の供給に基づいて発光する一つ以上の照明装置を備えた照明器具の周囲温度を調べ、この周囲温度が所定の第１の温度を超えた場合に、前記照明器具の周囲温度に基づいて、前記照明装置に供給する駆動電流を低減するように制御し、前記照明器具の周囲の風量、温度を含む空気環境を前記照明器具の周囲温度が低下するように制御する、ようにしている。【００１２】
本発明の第２の照明器具の制御方法は、電力の供給に基づいて発光する一つ以上の照明装置を備えた複数の照明器具の周囲温度を調べ、この周囲温度が所定の第１の温度を超えた場合に、この所定の第１の温度を超えた前記照明器具の周囲温度に基づいて、該照明装置に供給する駆動電流を低減するように制御し、前記照明器具の周囲温度に基づいて、前記照明器具の周囲の風量、温度を含む空気環境を前記照明器具の周囲温度が低下するように制御する、ようにしている。
【発明の効果】
【００１３】
本発明によれば、照明器具を工場等の熱が籠もりやすい環境で使用する場合にも、照明器具で使用する照明装置の短寿命化を抑制可能な照明器具の制御システム及び照明器具の制御方法を提供することができる。
【図面の簡単な説明】
【００１４】
【図１】本発明の第１の実施の形態に係る照明器具の制御システムの一例を示す図である。
【図２】本発明の第２の実施の形態に係る照明器具の制御システムの一例を示す図である。
【図３】本発明の第２の実施の形態に係る照明器具の制御システムの動作の一例を示すフローチャートである。
【図４】本発明の第２の実施の形態に係る照明器具の制御システムの動作の一例を示す図３から分岐するフローチャートである。
【図５】本発明の第２の実施の形態に係る照明器具の制御システムの温度制御曲線の一例を示す図である。
【図６】本発明の第３の実施の形態に係る照明器具の制御システムの一例を示す図である。
【図７】本発明の第４の実施の形態に係る照明器具の制御システムの一例を示す図である。
【図８】本発明の第４の実施の形態に係る照明器具の制御システムの動作の一例を示すフローチャートである。
【図９】本発明の第５の実施の形態に係る照明器具の制御システムの一例を示す図である。
【発明を実施するための形態】
【００１５】
次に、本発明の実施の形態について図面を参照して説明する。
【００１６】
（第１の実施の形態）
図１は、本発明の第１の実施の形態に係る照明器具の制御システム１の一例を示す図である。
【００１７】
本実施の形態に係る照明器具の制御システム１は、照明器具２と、制御装置３とにより構成される。照明器具２は、例えば、工場等の天井等に設置される。
【００１８】
照明器具２は、電力の供給に基づいて発光する一つ以上の照明装置を備えている。照明装置は、例えば、発光することにより発熱する。制御装置３は、照明器具２の周囲温度が所定の第１の温度を超えた場合に、照明器具２の周囲温度に基づいて、照明装置に供給する駆動電流を低減するように制御する。これにより、制御装置３は、照明器具２の周囲温度を低下させる。
【００１９】
所定の第１の温度とは、例えば、５０℃であり、この温度を超えて稼働を続けた場合、照明装置の寿命を縮めるおそれのある温度である。この温度は、５０℃にこだわることなく、使用する照明器具２、照明装置、使用する環境等により適宜変更して良い。
【００２０】
本システムの稼働中には、照明装置は発光して周辺を照らす。照明装置は発光することにより発熱している。制御装置３は、照明器具２の周囲温度を調べている。そして、制御装置３は、照明器具２の周囲温度が、第１の温度（例えば、５０℃）を超えた場合に、照明器具２の周囲温度に基づいて、照明装置に供給する駆動電流を低減するように制御する。これにより、制御システム１は、照明装置の発熱を抑える。更に、制御システム１は、制御装置３にて、照明器具２の周囲の風量、温度を含む空気環境を照明器具２の周囲温度が低下するように制御することにより、照明器具２の設置場所に籠っている熱を開放する。
【００２１】
このように、本発明の第１の実施の形態では、照明器具の周囲温度が第１の温度を超えた場合に、照明器具の温度の上昇を抑止するように、照明装置に供給する駆動電流を制御する。更に、第１の実施の形態では、照明器具の周囲の空気環境を制御する。
【００２２】
このため、第１の実施形態によれば、照明器具を工場等の熱が籠もりやすい環境で使用する場合にも、照明器具の周囲の温度をより効果的に、かつ、速やかに低減できるので、照明器具で使用する照明装置の短寿命化を抑制できる。
【００２３】
（第２の実施の形態）
図２は、本発明の第２の実施の形態に係る照明器具の制御システム５の一例を示す図である。
【００２４】
本実施の形態に係る照明器具の制御システム５は、照明器具２と、空調装置４と、温度センサ６と、電源７と、制御装置３とにより構成される。照明器具２は、例えば、工場等の天井等に設置される。
【００２５】
照明器具２は、駆動電流の供給に基づいて発光し、この発光に伴って発熱する一つ以上の照明装置を備えている。照明装置は、発光ダイオード（ＬＥＤ）を含んでいる。空調装置４は、制御装置３から出力された制御信号に基づいて、吹きだす風の風量や温度を制御して、照明器具２の設置場所の空調を行う。温度センサ６は、照明器具２の周囲温度を測定する。電源７は、制御装置３からの指示信号に基づいて駆動電流を照明装置に供給する。制御装置３は、自身の装置の稼働中に、温度センサ６により測定された照明器具２の周囲温度が所定の第１の温度を超えた場合に、照明器具２の温度の上昇を抑止するように、照明器具２の備えた照明装置に供給する駆動電流を制御する。この制御装置３は、測定された周囲温度に基づいて、照明装置の駆動電流を決定する。そして、制御装置３は、決定した駆動電流に基づいた指示信号を電源７に出力する。また、制御装置３は、測定された周囲温度に基づいて、制御信号を空調装置４に出力する。
【００２６】
図２では、温度センサ６は、制御装置３に直に接続されているが、これに限定されず、例えば、電源７を経由して制御装置３に接続されても良い。
【００２７】
所定の第１の温度とは、例えば、５０℃であり、この温度を超えて稼働を続けた場合、照明装置の寿命を縮めるおそれのある温度である。この温度は、５０℃にこだわることなく、使用する照明器具２は、照明装置、使用する環境により適宜変更して良い。
【００２８】
次に、本発明の第２の実施の形態に係る照明器具の制御システムの動作を図３、図４、図５を参照して詳細に説明する。
【００２９】
図３は、本発明の第２の実施の形態に係る照明器具の制御システムの動作の一例を示すフローチャートである。
【００３０】
図４は、本発明の第２の実施の形態に係る照明器具の制御システムの動作の一例を示す図３から分岐するフローチャートである。
【００３１】
図５は、本発明の第２の実施の形態に係る照明器具の制御システムの温度制御曲線の一例を示す図である。この図５は、照明器具２の周囲温度がＴ（℃）のときに、照明器具２の照明装置へ供給する駆動電流（最大出力電流に対する割合（％））を示している。照明器具２の周囲温度が所定の第１の温度（Ｔ１：５０℃（高温））以下の場合は、駆動電流は通常稼働時に照明器具２の照明装置に供給する通常電流（第１の駆動電流）（Ｉ１：１００％）である。この通常電流は、例えば、７００ｍＡ程度である。この値は、照明装置の種類、稼働条件等により異なり、適宜変更して良い。照明器具２の周囲温度が第１の温度を超える場合は、駆動電流を周囲温度の上昇に比例させて低減させる。すなわち、周囲温度が第１の温度（Ｔ１：５０℃）からシャットダウン温度（Ｔｓｄ：８０℃）の間の場合は、例えば、図５に示すような斜線であり、次の式に基づいた駆動電流（Ｉｆ（％））である。  式：Ｉｆ＝−(８／３)Ｔ+２３３．３  ここで、Ｔは温度（℃）、Ｉｆは、温度がＴのときの駆動電流（％）を示す。
【００３２】
シャットダウン温度（Ｔｓｄ：８０℃）とは、照明器具２の照明装置へ駆動電流を供給する電源７がシャットダウンする温度である。
【００３３】
図３のステップＳ１では、ユーザが本システムの各装置等の電源を入れる等により、本システムの稼働が開始し、温度センサ６は、制御装置３に照明器具２の温度情報を出力する。
【００３４】
図３のステップＳ２では、制御装置３は、照明器具２の周囲温度を、温度センサ６からの温度情報に基づいて調べる。この照明器具２の周囲温度が通常の稼働温度の場合は、図３のステップＳ３へ進む。調べた結果、照明器具２の周囲温度が通常の稼働温度でない場合には、図４のステップＡ１へ進む。通常の稼働温度とは、照明器具２の周囲温度が所定の第２の温度（Ｔ２：−２０℃（異常低温））以上、かつ、所定の第１の温度（Ｔ１：５０℃（高温））以下の場合である。第２の温度（Ｔ２：−２０℃）未満の場合には、本システムを各装置内の電気部品（ＬＥＤ、半導体、ＩＣ、コンデンサ等）が通常の稼働ができなくなるおそれが出てくる。所定の第１の温度（Ｔ１：５０℃）を超える場合には、照明器具２の照明装置に供給する稼働電流を下げて、発熱を抑制する必要が出てくる。
【００３５】
図３のステップＳ３では、制御装置３は、所定の第１の駆動電流（Ｉ１）を流す指示信号を電源７に出力する。電源７は、この指示信号を受け、例えば、定電流制御により第１の駆動電流（Ｉ１）を照明器具２の照明装置に供給する。照明器具２の照明装置は発光し、第１の駆動電流（Ｉ１）に対応する明るさで周辺を照らす。照明装置は発光することにより発熱する。第１の駆動電流（Ｉ１）は図５で示した通常電流である。
【００３６】
図３のステップＳ４では、制御装置３は、照明器具２の周囲温度を、温度センサ６からの温度情報に基づいて調べる。照明器具２の周囲温度が、第１の温度（Ｔ１）を超えた場合に、図３のステップＳ５へ進む。
【００３７】
図３のステップＳ５では、制御装置３は、風量、温度を含む所定の設定にて稼働するための制御信号を空調装置４に出力し、空調装置４を、この所定の設定にて稼働させる。空調装置４は、例えば、風量が弱、中、強の３種類ある場合、この所定の設定は、例えば、風量は強、温度は２５℃である。この所定の設定は、設定内容（風量は強、温度は２５℃）にこだわらず、空調装置４の設定可能な風量の種類数、本システムの稼働環境により、適宜変更して良い。
【００３８】
このように、制御装置３により、照明器具２の周囲温度が第１の温度を超えた場合に、空調装置４を、風量、温度を含む所定の設定にて稼働させるので、照明器具２の周囲の温度をより効果的に、かつ、速やかに低減できる。
【００３９】
図３のステップＳ６では、制御装置３は、現在設定されているモードが、光源出力固定モードか否かを調べる。光源出力固定モードが設定されている場合には、図３のステップＳ１３へ進む。光源出力固定モードが設定されていない場合には、図３のステップＳ７へ進む。光源出力固定モードとは、照明器具２の周囲温度が、第１の温度（Ｔ１）を超えた場合にも、照明器具２の照明装置に供給する駆動電流を低減させずに照明装置の明るさを保つように制御するモードである。尚、一般的に、照明装置がＬＥＤの場合、ＬＥＤの駆動電流とＬＥＤの明るさとは、完全ではないがだいたい比例している。ＬＥＤの温度が上がると発光効率が下がるためである。
【００４０】
図３のステップＳ７では、制御装置３は、図５で示した、式：Ｉｆ＝−(８／３)Ｔ+２３３．３に基づいて駆動電流を求め、温度に比例して低減したこの駆動電流に基づいた指示信号を電源７に出力し、電源７に、照明装置に対してこの駆動電流を供給させる。
【００４１】
このように、制御装置３により、照明器具２の周囲温度が第１の温度を超えた場合に、図３のステップＳ５で、空調装置４を所定の設定にて稼働させる。そして、図３のステップＳ７で、駆動電流を周囲温度の上昇に反比例させて低減させる式に基づいて求め、電源７に、照明装置に対してこの駆動電流を供給させる。このため、照明器具２の周囲の温度をより効果的に、かつ、速やかに低減できる。
【００４２】
図３のステップＳ８では、制御装置３は、照明器具２の周囲温度を、温度センサ６からの温度情報に基づいて調べる。調べた結果が、この周囲温度がシャットダウン温度（Ｔｓｄ）以上であることを示す場合は図３のステップＳ９へ進む。調べた結果が、この周囲温度がシャットダウン温度（Ｔｓｄ）以上でないことを示す場合は図３のステップＳ１１へ進む。
【００４３】
図３のステップＳ９では、制御装置３は、駆動電流の停止を示す指示信号を電源７に出力し、電源７に、照明装置に対してこの駆動電流の供給を停止させる。
【００４４】
図３のステップＳ１０では、制御装置３は、稼働を停止するための設定を示す制御信号を空調装置４に出力し、空調装置４を停止させ、本処理を終了する。このとき、空調装置４に、制御装置３の制御信号に基づく設定以外の設定が成されている場合には、この設定にて稼働を継続させても良い。
【００４５】
図３のステップＳ１１では、制御装置３は、照明器具２の周囲温度を、温度センサ６からの温度情報に基づいて調べる。調べた結果が、この周囲温度が第１の温度（Ｔ１）未満であることを示す場合は図３のステップＳ１２へ進む。調べた結果が、この周囲温度が第１の温度（Ｔ１）未満でないことを示す場合は図３のステップＳ７へ戻る。
【００４６】
図３のステップＳ１２では、制御装置３は、稼働を停止するための設定を示す制御信号を空調装置４に出力し、空調装置４を停止させる。このとき、空調装置４に、制御装置３の制御信号に基づく設定以外の設定が成されている場合には、この設定にて稼働を継続させても良い。そして、図３のステップＳ３へ戻る。
【００４７】
図３のステップＳ１３では、制御装置３は、時間ｔの測定を開始する。
【００４８】
図３のステップＳ１４では、制御装置３は、照明器具２の周囲温度を、温度センサ６からの温度情報に基づいて調べる。調べた結果が、この周囲温度が第１の温度（Ｔ１）以上であることを示す場合は図３のステップＳ１５へ進む。調べた結果が、この周囲温度が第１の温度（Ｔ１）以上でないことを示す場合は図３のステップＳ１６へ進む。
【００４９】
図３のステップＳ１５では、制御装置３は、図３のステップＳ１３で測定を開始した時間ｔを調べ、時間ｔが、所定の時間（ｔ１：例えば、５分）以上になった場合には図３のステップＳ７へ進む。この所定の時間（ｔ１）は、本システムの稼働環境等により、適宜変更して良い。時間ｔが、所定の時間（ｔ１）以上でない場合には図３のステップＳ１４へ戻る。
【００５０】
図３のステップＳ１６では、制御装置３は、稼働を停止するための設定を示す制御信号を空調装置４に出力し、空調装置４を停止させる。このとき、空調装置４に、制御装置３の制御信号に基づく設定以外の設定が成されている場合には、この設定にて稼働を継続させても良い。そして、図３のステップＳ４へ戻る。
【００５１】
そして、図３のステップＳ２から分岐してきた、図４のステップＡ１では、制御装置３は、第１の駆動電流（Ｉ１）よりも低い所定の第２の駆動電流（Ｉ２、例えば６０％（低電流））を流す指示信号を電源７に出力する。電源７は、この指示信号を受け、例えば、定電流制御によりこの駆動電流（Ｉ２）を照明器具２の照明装置に供給する。
【００５２】
図４のステップＡ２では、制御装置３は、照明器具２の周囲温度を、温度センサ６からの温度情報に基づいて調べる。調べた結果が、照明器具２の周囲温度が所定の第２の温度（Ｔ２：−２０℃（異常低温））以下である場合には、図４のステップＡ３へ進む。調べた結果が、照明器具２の周囲温度が所定の第２の温度（Ｔ２：−２０℃）以下でない場合には、照明器具２の周囲温度は所定の第１の温度（Ｔ１）以上であるので、図４のステップＡ４へ進む。
【００５３】
図４のステップＡ３では、制御装置３は、照明器具２の周囲温度を、温度センサ６からの温度情報に基づいて調べ続ける。そして、照明器具２の周囲温度が、異常低温からの復帰を示す温度（Ｔｒ２：０℃）を超えた場合に、すなわち、照明器具２の周囲温度が通常の稼働温度の範囲に十分に入った場合に、図３のステップＳ３へ進む。
【００５４】
図４のステップＡ４では、制御装置３は、所定の設定（例えば、風量を強、温度を２５℃）にて稼働させる制御信号を空調装置４に出力し、空調装置４を、この所定の設定にて稼働させる。この所定の設定は、設定内容（風量は強、温度は２５℃）にこだわらず、空調装置４の設定可能な風量の種類数、本システムの稼働環境により、適宜変更して良い。
【００５５】
図４のステップＡ５では、制御装置３は、照明器具２の周囲温度を、温度センサ６からの温度情報に基づいて調べ続ける。そして、照明器具２の周囲温度が、高温からの復帰を示す温度（Ｔｒ１：４５℃）以下になった場合に、すなわち、照明器具２の周囲温度が通常の稼働温度の範囲に十分に入った場合に、図４のステップＡ６へ進む。
【００５６】
図４のステップＡ６では、制御装置３は、稼働を停止するための設定を示す制御信号を空調装置４に出力し、空調装置４を停止させる。このとき、図４のステップＡ４の段階で、所定の設定を空調装置４に設定する前に、すでに空調装置４が制御装置３の制御信号に基づく設定以外の設定で稼働している場合には、空調装置４を、このすでに稼働していた設定に戻して稼働を継続させても良い。そして、図３のステップＳ３へ戻る。
【００５７】
このように、本発明の第２の実施の形態によれば、制御装置３は、照明器具２の周囲温度が第１の温度（高温）を超えた場合に、照明器具２の温度の上昇を抑止するように、照明装置に供給する駆動電流を制御する。更に、制御装置３は、空調装置４にて照明器具２の設置場所の温度を下げるよう、空調装置４の制御を行う。
【００５８】
このため、照明器具を工場等の熱が籠もりやすい環境で使用する場合にも、照明器具の周囲の温度をより効果的に、かつ、速やかに低減できるので、照明器具で使用する照明装置の短寿命化を抑制できる。
【００５９】
また、制御装置３の稼働開始時に、照明器具２の周囲温度が通常の稼働温度でない、異常低温の場合には、通常時に提供する駆動電流よりも低い駆動電流を照明器具２の照明装置に供給し、通常の稼働温度になるのを待つ。また、制御装置３の稼働開始時に、照明器具２の周囲温度が通常の稼働温度でない、高温の場合には、通常時に供給する駆動電流よりも低い駆動電流を照明装置に供給するとともに、空調装置４を、より強力な設定にて稼働させて、通常の稼働温度になるのを待つ。このため、制御装置３の稼働開始時に、照明器具の周囲温度が通常の稼働温度でない場合にも、短時間に、通常の稼働温度にすることができ、通常の稼働を開始することができる。
【００６０】
（第３の実施の形態）
図６は、本発明の第３の実施の形態に係る照明器具の制御システム８の一例を示す図である。
【００６１】
第３の実施の形態の制御システム８は、上述の第１の実施の形態の照明器具の制御システム１の構成における照明器具２を複数設けたものである。本実施形態で用いる照明器具２は、上述の第１の実施の形態のものと同じなのでこれらの説明は省略する。
【００６２】
本実施の形態に係る照明器具の制御システム８は、複数の照明器具２と、制御装置９と、により構成される。照明器具２は、例えば、工場等の天井等に設置される。
【００６３】
複数の照明器具２のそれぞれの照明器具２は、電力の供給に基づいて発光する一つ以上の照明装置を備えている。照明装置は、例えば、発光することにより発熱する。制御装置９は、自身の装置の稼働中に照明器具２の周囲温度が所定の第１の温度を超えた場合に、この所定の第１の温度を超えた照明器具２の温度の上昇を抑止するように、この第１の温度を超えた照明器具２の備えた照明装置に供給する電力を制御する。
【００６４】
所定の第１の温度とは、例えば、５０℃であり、この温度を超えて稼働を続けた場合、照明装置の寿命を縮めるおそれのある温度である。この温度は、５０℃にこだわることなく、使用する照明器具、照明装置、使用する環境により適宜変更して良い。
【００６５】
本システムの稼働中には、照明装置は発光して周辺を照らす。照明装置は発光することにより発熱している。制御装置９は、複数の照明器具２の周囲温度を調べている。
【００６６】
そして、照明器具２の周囲温度が第１の温度（例えば、５０℃）を超えた照明器具２がある場合に、この第１の温度（例えば、５０℃）を超えた照明器具２の周囲温度に基づいて、この照明器具２の備えた照明装置に供給する駆動電流を低減するように制御する。このことにより、この照明装置の発熱を抑える。
【００６７】
このように、本発明の第３の実施の形態によれば、照明器具２の周囲温度が第１の温度を超えた照明器具２がある場合に、この第１の温度を超えた照明器具２の温度の上昇を抑止するように、照明装置に供給する駆動電流を制御する。
【００６８】
このため、照明器具を工場等の熱が籠もりやすい環境で使用する場合にも、照明器具の周囲の温度をより効果的に、かつ、速やかに低減できるので、照明器具で使用する照明装置の短寿命化を抑制できる。
【００６９】
（第４の実施の形態）
図７は、本発明の第４の実施の形態に係る照明器具の制御システム１０の一例を示す図である。
【００７０】
第４の実施の形態の制御システム１０は、上述の第２の実施の形態の照明器具の制御システム５の構成の照明器具２、温度センサ６、及び電源７をそれぞれ複数設けたものである。第４の実施の形態では、照明器具２と、温度センサ６と、電源７と、を組にしたものも照明器具セット１１としている。照明器具２、温度センサ６、電源７、及び空調装置４の動作は、第２の実施の形態のものと同じなのでこれらの説明は省略する。
【００７１】
図７では、温度センサ６は、制御装置１２に直に接続されているが、電源７を経由して制御装置１２に接続されても良い。
【００７２】
本実施の形態に係る照明器具の制御システム１０は、複数の照明器具２と、空調装置４と、複数の温度センサ６と、複数の電源７と、制御装置１２とにより構成される。照明器具セット１１は、照明器具２と、温度センサ６と、電源７と、を組にしたものである。温度センサ６は、同一の組の照明器具２の周囲温度を測定し、電源７は、同一の組の照明器具２に駆動電流を供給する。
【００７３】
制御装置１２は、自身の装置の稼働中に、温度センサ６により測定された照明器具２の周囲温度が所定の第１の温度（例えば、５０℃）を超えた照明器具２があった場合に、この照明器具２の温度の上昇を抑止するように、この照明器具２の照明装置に供給する駆動電流を制御する。制御装置１２は、第１の温度を超えた照明器具２の周囲温度に基づいてこの照明器具２の照明装置の駆動電流を決定する。制御装置１２は、決定した駆動電流に基づいた指示信号を第１の温度を超えた照明器具２に対応する電源７に出力する。制御装置１２は、測定された周囲温度に基づいて制御信号を空調装置４に出力する。すなわち、制御装置１２は、複数の照明器具セット１１のそれぞれを、上述の第２の実施の形態の照明器具の制御システム５の照明器具２、温度センサ６、及び電源７の制御と同様に制御する。
【００７４】
次に、本発明の第４の実施の形態に係る照明器具の制御システムの動作について図８を参照して詳細に説明する。
【００７５】
図８は、本発明の第４の実施の形態に係る照明器具の制御システムの動作の一例を示すフローチャートである。
【００７６】
図８のステップＢ１では、ユーザが本システムの各装置等の電源を入れる等により、本システムの稼働が開始し、複数の温度センサ６は対応する照明器具２の温度情報を制御装置１２に出力する。
【００７７】
図８のステップＢ２では、制御装置１２は、図７で示す複数の照明器具セット１１のそれぞれの照明器具セット１１を、第２の実施の形態に係る照明器具の制御システム５の動作と同様に、並行して制御する。すなわち、図３のステップＳ２から図３のステップＳ１６、及び図４のステップＡ１から図４のステップＡ６の動作を並行して制御する。但し、空調装置４の制御に関する次の各ステップ（図３のステップＳ１０、ステップＳ１２、ステップＳ１６、図４のステップＡ６）の処理に関する上記の説明を、次のように変更する。すなわち、「制御装置３は、稼働を停止するための設定を示す制御信号を空調装置４に出力し、」の文言を「制御装置１２は、稼働を停止するための設定を示す制御信号を作成する。そして、現在、他の照明器具セット１１に対応する制御信号に基づいて稼働している動作がない場合には、この制御信号を空調装置４に出力し、」に変更する。また、制御装置３を制御装置１２に変更する。
【００７８】
尚、制御装置１２は、照明器具２の周囲温度が所定の第１の温度を超えた際に、図３のステップＳ７に示すように、この第１の温度を超えた照明器具２の照明装置に対して、周囲温度に比例して低減したこの駆動電流に基づいた指示信号を電源７に出力している。そして、この電源７に、この照明器具２に対応する照明装置に対して周囲温度に比例して低減した駆動電流を供給させている。このため、この照明装置の照度は暗くなるので、照明装置に対応する照明器具２の周辺は暗くなる。そこで、この暗くなった照明器具２の周辺の明るさを補完するために、次のようにしても良い。
【００７９】
制御装置１２は、照明器具２の周囲温度が所定の第１の温度を超えた際に、周囲温度が所定の第１の温度を超えた照明器具２の近辺の、第１の温度を超えていない照明器具２の照明装置に対してより明るくなるように制御する。制御装置１２は、第１の温度を超えていない照明器具２の照明装置に対して所定の第１の駆動電流より大きい所定の第３の駆動電流を流す指示信号を出力する。そして、この照明器具２に対応する電源７に、この照明器具２に対応する照明装置に対してこの駆動電流を供給させるようにしても良い。このとき、所定の第１の駆動電流は、図５では、通常稼働時に照明器具２の照明装置に供給する通常電流（第１の駆動電流）（Ｉ１：１００％）としたが、この第１の駆動電流を、例えば、８０％の駆動電流とし、これより大きい所定の第３の駆動電流を、例えば、この第１の駆動電流をより大きい１００％の駆動電流とする。
【００８０】
また、暗くなった照明器具２の周辺の明るさを補完するために、次のようにしても良い。すなわち、例えば、照明器具２の照射方向を変更できる照射方向変更装置を照明器具２に設けておく。照射方向変更装置は、例えば、照射方向指示信号の角度情報等に基づいてサーボモータ等により、照射方向に照明器具２を向ける。そして、制御装置１２は、照明器具２の周囲温度が第１の温度を超えた際に、この第１の温度を超えた照明器具２の近辺の第１の温度を超えていない照明器具２に対して、照射方向を第１の温度を超えている照明器具２の方向に向けるように照射方向指示信号を出力しても良い。
【００８１】
このように、本発明の第４の実施の形態は、第２の実施の形態の照明器具２、温度センサ６、及び電源７を複数設けたものであるので、第２の実施の形態により得られる効果に加えて、次の効果がある。本発明の第４の実施の形態によれば、照明器具２の周囲温度が第１の温度を超えた際に、この第１の温度を超えた照明器具２の近辺の、第１の温度を超えていない照明器具２の照明装置に対して所定の第１の駆動電流より大きい所定の第３の駆動電流を流すようにしている。このため、この暗くなった第１の温度を超えた照明器具２の周辺の明るさを補完することができる。また、照明器具２の周囲温度が第１の温度を超えた際に、この第１の温度を超えた照明器具２の近辺の第１の温度を超えていない照明器具２の照射方向を第１の温度を超えている照明器具２の方向に向けるようにしている。このため、この暗くなった第１の温度を超えた照明器具２の周辺の明るさを補完することができる。
【００８２】
（第５の実施の形態）
図９は、本発明の第５の実施の形態に係る照明器具の制御システム１３の一例を示す図である。
【００８３】
本実施の形態に係る照明器具の制御システム１３は、複数の照明器具セット１１と、複数の制御装置１４と、空調装置４と、上位装置１５と、により構成される。
【００８４】
複数の照明器具セット１１の各々は、駆動電流の供給に基づいて発光する一つ以上のＬＥＤ等を含む照明装置を備えた照明器具２を有する。電源７は、温度センサ６により照明器具２の周囲温度が測定され、制御装置１４から駆動電流の大きさを示す指示信号を受け、指示信号に基づいた駆動電流を照明器具２の備えた照明装置に供給する。複数の制御装置１４のそれぞれの制御装置１４は、温度センサ６により対応する照明器具セット１１の測定した照明器具２の周囲温度が送信されると、この送信に応答して駆動電流の大きさを示す電流指示コマンドを受け、この電流指示コマンドに応じた指示信号を照明器具セット１１に出力する。空調装置４は、制御信号に基づいて複数の照明器具セット１１の備えた照明器具２の設置場所の空調を行う。上位装置１５は、複数の制御装置１４から照明器具２の周囲温度をそれぞれ受信する。そして、上位装置１５は、所定の第１の温度を超えた周囲温度を受信した場合に、この第１の温度を超えた照明器具セット１１の照明器具２の温度の上昇を抑止するように、この照明器具２の備えた照明装置に供給する駆動電流の大きさを求める。そして、この駆動電流の大きさを示す電流指示コマンドを対応する制御装置１４に送信する、とともに空調装置４に制御信号を出力して空調装置４を制御する。
【００８５】
図９では、温度センサ６が直接制御装置１４に接続されているが、電源７を経由して制御装置１４に接続するようにしてもよい。
【００８６】
所定の第１の温度とは、例えば、５０℃であり、この温度を超えて稼働を続けた場合、照明装置の寿命を縮めるおそれのある温度である。この温度は、５０℃にこだわることなく、使用する照明器具２、照明装置、使用する環境により適宜変更して良い。
【００８７】
本システムの稼働中には、照明装置は発光して周辺を照らす。照明装置は発光することにより発熱している。そして、それぞれの制御装置１４は、対応する照明器具セット１１の測定している照明器具２の周囲温度を例えば常時調べ、この周囲温度を示す情報を上位装置１５に送信する。上位装置１５は、複数の制御装置１４から照明器具２の周囲温度を示す情報をそれぞれ受信する。そして、所定の第１の温度を超えた周囲温度を示す情報を受信した場合に、この第１の温度を超えた照明器具セット１１の照明器具２の温度の上昇を抑止するように、この照明器具２の備えた照明装置に供給する駆動電流の大きさを求める。例えば、この照明器具２の備えた照明装置に供給する駆動電流を低減する等により照明装置の発熱を抑える。更に、空調装置４に制御信号を出力して空調装置４が吹きだす風の風量や温度を制御して、照明器具２の設置場所の空調を行うことにより、照明器具の設置場所に籠っている熱を開放する。
【００８８】
このように、本発明の第５の実施の形態によれば、照明器具２の周囲温度が第１の温度を超えた場合に、照明器具２の温度の上昇を抑止するように、照明装置に供給する駆動電流を制御する。更に、空調装置４を制御して照明器具２の設置場所の空調を行う。
【００８９】
このため、照明器具を工場等の熱が籠もりやすい環境で使用する場合にも、照明器具の周囲の温度をより効果的に、速やかに低減できるので、照明器具で使用する照明装置の短寿命化を抑制できる。
【００９０】
上記の実施形態の一部または全部は、以下の付記のように記載され得るが、以下には限られない。
（付記１）
電力の供給に基づいて発光する一つ以上の照明装置を備えた照明器具と、
自身の装置の稼働中に前記照明器具の周囲温度が所定の第１の温度を超えた場合に、前記照明器具の周囲温度に基づいて、前記照明装置に供給する駆動電流を低減するように制御するとともに前記照明器具の周囲の風量、温度を含む空気環境を前記照明器具の周囲温度が低下するように制御する制御装置と、
を備えたことを特徴とする照明器具の制御システム。
（付記２）
前記照明器具の周囲温度を測定する温度センサと、
指示信号に基づいて前記駆動電流を前記照明装置に供給する電源と、
制御信号に基づいて前記照明器具の設置場所の前記空気環境を調整する空調装置と、を更に備え、
前記照明装置は、駆動電流の供給に基づいて発光し発光に伴って発熱する発光ダイオードを含み、
前記制御装置は、前記温度センサにより測定された前記周囲温度に基づいて前記照明装置の前記駆動電流を決定し、この駆動電流に基づいた前記指示信号を前記電源に出力し、測定された前記周囲温度に基づいて前記制御信号を前記空調装置に出力する、
ことを特徴とする付記１記載の照明器具の制御システム。
（付記３）
前記制御装置は、前記照明器具の周囲温度が前記所定の第１の温度を超えた際に、前記空調装置を、風量、温度を含む所定の設定にて稼働するための前記制御信号を前記空調装置に出力する、
ことを特徴とする付記２記載の照明器具の制御システム。
（付記４）
前記制御装置は、前記照明器具の周囲温度が前記所定の第１の温度を超えた際に、前記照明装置に供給する前記駆動電流を前記周囲温度の上昇に比例させて低減するように前記指示信号を前記電源に出力する、
ことを特徴とする付記２又は３記載の照明器具の制御システム。
（付記５）
前記制御装置は、自身の装置の稼働開始時の前記照明器具の前記周囲温度が前記所定の第１の温度より低い所定の第２の温度以上、かつ、前記所定の第１の温度以下の場合、所定の第１の駆動電流を流す前記指示信号を前記電源に出力する、
ことを特徴とする付記４記載の照明器具の制御システム。
（付記６）
前記制御装置は、自身の装置の稼働開始時の前記照明器具の前記周囲温度が前記所定の第２の温度未満、又は、前記所定の第１の温度を超える場合、前記所定の第１の駆動電流よりも低い所定の第２の駆動電流を流す前記指示信号を前記電源に出力する、
ことを特徴とする付記５記載の照明器具の制御システム。
（付記７）
電力の供給に基づいて発光する一つ以上の照明装置を備えた照明器具と、
自身の装置の稼働中に前記照明器具の周囲温度が所定の第１の温度を超えた場合に、この所定の第１の温度を超えた前記照明器具の周囲温度に基づいて、該照明装置に供給する駆動電流を低減するように制御するとともに前記照明器具の周囲の風量、温度を含む空気環境を前記照明器具の周囲温度が低下するように制御する制御装置と、
を備えたことを特徴とする照明器具の制御システム。
（付記８）
前記照明装置は、駆動電流の供給に基づいて発光し発光に伴って発熱する発光ダイオードを含み、
前記複数の照明器具の周囲温度をそれぞれ測定する複数の温度センサと、
指示信号に基づいて前記駆動電流を前記複数の照明器具の前記照明装置にそれぞれ供給する複数の電源と、
制御信号に基づいて前記照明器具の設置場所の前記空気環境を調整する空調装置と、を更に備え、
前記制御装置は、前記温度センサにより測定された前記周囲温度に基づいて、この温度センサに対応する前記照明器具の備えた前記照明装置の前記駆動電流を決定し、この駆動電流に基づいた前記指示信号を、前記温度センサに対応する前記電源に出力するとともに、測定された前記周囲温度に基づいて前記制御信号を前記空調装置に出力する、
ことを特徴とする付記７記載の照明器具の制御システム。
（付記９）
前記制御装置は、前記複数の照明器具のそれぞれの周囲温度のうちの一つ以上の周囲温度が前記所定の第１の温度を超えた際に、前記空調装置を、風量、温度を含む所定の設定にて稼働するための前記制御信号を前記空調装置に出力する、
ことを特徴とする付記８記載の照明器具の制御システム。
（付記１０）
前記制御装置は、前記複数の照明器具のそれぞれの周囲温度のうちの一つ以上の周囲温度が前記所定の第１の温度を超えた際に、前記所定の第１の温度を超えた前記照明器具の備えた前記照明装置に供給する前記駆動電流を前記周囲温度の上昇に比例させて低減するように前記指示信号を該照明器具に対応する前記電源に出力する、
ことを特徴とする付記８又は９記載の照明器具の制御システム。
（付記１１）
前記制御装置は、自身の装置の稼働開始時に、前記複数の照明器具のそれぞれの周囲温度のうちの、前記所定の第１の温度より低い所定の第２の温度以上、かつ、前記所定の第１の温度以下の周囲温度を示す前記温度センサに対応する前記電源に、所定の第１の駆動電流を流す前記指示信号を出力する、
ことを特徴とする付記１０記載の照明器具の制御システム。
（付記１２）
前記制御装置は、自身の装置の稼働開始時に、前記複数の照明器具のそれぞれの周囲温度のうちの、前記所定の第２の温度未満の、又は、前記所定の第１の温度を超える周囲温度を示す前記温度センサに対応する前記電源に、前記所定の第１の駆動電流よりも低い所定の第２の駆動電流を流す前記指示信号を出力する、
ことを特徴とする付記１１記載の照明器具の制御システム。
（付記１３）
前記制御装置は、前記複数の照明器具のそれぞれの周囲温度のうちの一つ以上の周囲温度が前記所定の第１の温度を超えた際に、前記所定の第１の温度を超えていない前記照明器具の備えた前記照明装置に前記所定の第１の駆動電流より大きい所定の第３の駆動電流を流すための前記指示信号を、前記所定の第１の温度を超えていない前記照明器具に対応する前記電源に出力する、
ことを特徴とする付記１１記載の照明器具の制御システム。
（付記１４）
前記照明器具は、照射方向指示信号に基づいて照射方向を変更でき、
前記制御装置は、前記所定の第１の温度を超えていない前記照明器具の照射方向を前記所定の第１の温度を超えている前記照明器具の方向に向けるように前記照射方向指示信号を該照明器具に出力する、
ことを特徴とする付記１３記載の照明器具の制御システム。
（付記１５）
駆動電流の供給に基づいて発光する一つ以上の照明装置を備えた照明器具を有し、この照明器具の周囲温度を測定し、駆動電流の大きさを示す指示信号を受け、この指示信号に基づいた駆動電流を前記照明器具の備えた前記照明装置に供給する複数の照明器具セットと、
対応する前記照明器具セットの測定した前記照明器具の周囲温度を示す情報を送信し、この送信に応答して駆動電流の大きさを示す電流指示コマンドを受け、この電流指示コマンドに応じた指示信号を対応する前記照明器具セットに出力する複数の制御装置と、
制御信号に基づいて前記複数の照明器具セットの備えた前記照明器具の設置場所の風量、温度を含む空気環境を調整する空調装置と、
前記複数の制御装置から前記照明器具の周囲温度を示す情報をそれぞれ受信し、所定の第１の温度を超えた周囲温度を示す情報を受信した場合に、この第１の温度を超えた前記照明器具セットの前記照明器具の備えた前記照明装置に供給する前記駆動電流を低減するように決定し、この決定した駆動電流の大きさを示す電流指示コマンドを対応する前記制御装置に送信する、とともに前記空調装置に制御信号を出力して前記空調装置を前記照明器具の周囲温度が低下するように制御する上位装置と、
を備えたことを特徴とする照明器具の制御システム。
（付記１６）
電力の供給に基づいて発光する一つ以上の照明装置を備えた照明器具の周囲温度を調べ、
この周囲温度が所定の第１の温度を超えた場合に、前記照明器具の周囲温度に基づいて、前記照明装置に供給する駆動電流を低減するように制御し、
前記照明器具の周囲の風量、温度を含む空気環境を前記照明器具の周囲温度が低下するように制御する、
ことを特徴とする照明器具の制御方法。
（付記１７）
前記照明装置は、駆動電流の供給に基づいて発光し発光に伴って発熱する発光ダイオードを含み、
前記照明器具の周囲温度に基づいて前記照明装置の前記駆動電流を決定し、
この駆動電流を前記照明装置に供給する、
ことを特徴とする付記１６記載の照明器具の制御方法。
（付記１８）
前記照明器具の周囲温度が前記所定の第１の温度を超えた際に、前記照明装置に前記周囲温度の上昇に比例させて低減するように前記駆動電流を供給する、ことを特徴とする付記１７記載の照明器具の制御方法。
（付記１９）
電力の供給に基づいて発光する一つ以上の照明装置を備えた複数の照明器具の周囲温度を調べ、
この周囲温度が所定の第１の温度を超えた場合に、この所定の第１の温度を超えた前記照明器具の周囲温度に基づいて、該照明装置に供給する駆動電流を低減するように制御し、
前記照明器具の周囲温度に基づいて、前記照明器具の周囲の風量、温度を含む空気環境を前記照明器具の周囲温度が低下するように制御する、
ことを特徴とする照明器具の制御方法。
（付記２０）
前記照明装置は、駆動電流の供給に基づいて発光し発光に伴って発熱する発光ダイオードを含み、
前記複数の照明器具のそれぞれの周囲温度に基づいて、前記周囲温度に対応する前記照明器具の備えた前記照明装置の前記駆動電流をそれぞれ決定し、
これらの駆動電流を、前記周囲温度に対応する前記照明器具の備えた前記照明装置にそれぞれ供給する、
ことを特徴とする付記１９記載の照明器具の制御方法。
（付記２１）
前記複数の照明器具のそれぞれの周囲温度のうちの一つ以上の周囲温度が前記所定の第１の温度を超えた際に、前記所定の第１の温度を超えていない前記照明器具の備えた前記照明装置に、いままで供給していた駆動電流より大きい所定の駆動電流を供給する、
ことを特徴とする付記２０記載の照明器具の制御方法。
（付記２２）
前記照明器具は、照射方向指示信号に基づいて照射方向を変更でき、
前記所定の第１の温度を超えていない前記照明器具の照射方向を前記所定の第１の温度を超えている前記照明器具の方向に向けるように前記照射方向指示信号を該照明器具に出力する、
ことを特徴とする付記２１記載の照明器具の制御方法。
【００９１】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【００９２】
この出願は、２０１３年１１月２０日に出願された日本出願特願２０１３−２３９９７８号を基礎とする優先権を主張し、その開示の全てをここに取り込む。
【符号の説明】
【００９３】
１、５、８、１０、１３  照明器具の制御システム
２  照明器具
３、９、１２、１４  制御装置
４  空調装置
６  温度センサ
７  電源
１１  照明器具セット
１５  上位装置
【図１】
0006544647.tif 000002
【図２】
0006544647.tif 000003
【図３】
0006544647.tif 000004
【図４】
0006544647.tif 000005
【図５】
0006544647.tif 000006
【図６】
0006544647.tif 000007
【図７】
0006544647.tif 000008
【図８】
0006544647.tif 000009
【図９】
0006544647.tif 000010